(57)【要約】【課題】  小型化が可能で、コストを低減でき、また、比較的容易にメンテナンスできる屋外設置に適した冷却効果の優れた電源装置を提供すること。【解決手段】  電子部品が搭載されているプリント基板を収納する電源ケースと、その電源ケースの開口部を密閉するように防水用パッキングを介して取り付けられ、電源カバーとして作用する冷却用フィンを備え、前記プリント基板は前記冷却用フィンと一緒に前記電源ケースに対して着脱できるように前記冷却用フィンに取り付けられていることを特徴とする電源装置。【選択図】  図１
2007097296.tif 000002
【特許請求の範囲】
【請求項１】
電子部品が搭載されているプリント基板を収納する電源ケースと、
該電源ケースの開口部を密閉するように防水用パッキングを介して取り付けられ、電源カバーとして作用する冷却用フィンを備え、
前記プリント基板は前記冷却用フィンと一緒に前記電源ケースに対して着脱できるように前記冷却用フィンに取り付けられていることを特徴とする電源装置。
【請求項２】
請求項１において、
前記電源ケースは前記開口部の周囲に複数の過圧縮防止用突起部を備え、
これら過圧縮防止用突起部は前記防水用パッキングの厚みよりも小さな高さを有すると共に、取付け用小孔を備え、
前記防水用パッキングは前記過圧縮防止用突起部に対応する箇所に取付け用孔を有することを特徴とする電源装置。
【請求項３】
請求項１又は請求項２において、
前記電源ケースの内面に輻射熱を吸収し易い被膜が形成、又は前記電源ケースの外面と内面とに同色の被膜が形成されていることを特徴とする電源装置。
【請求項４】
請求項１ないし請求項３のいずれかにおいて、
前記電源ケースの外面が赤外線反射型の塗膜で覆われ、さらにその上に所望の色彩を呈する赤外線透過型の塗膜が形成されていることを特徴とする電源装置。
【請求項５】
請求項１ないし請求項４のいずれかにおいて、
前記冷却用フィンは互いに並行に延びるフィン片を有し、
前記電源ケースは、前記フィン片の延びる方向の両端に、前記電源ケースを固定部材に取り付けるための取付け用金具を備えていることを特徴とする電源装置。
【請求項６】
請求項１ないし請求項５のいずれかにおいて、
太陽光遮蔽部材がスペーサ部材を介して前記電源ケースに固定されていることを特徴とする電源装置。
【発明の詳細な説明】
【技術分野】
【０００１】
本発明は、電源装置の構造、特に風雨に曝されるなど劣悪な環境で用いるのに適した電源装置に関する。
【背景技術】
【０００２】
通信設備などにあっては電源装置を分散して屋外に設置するものもある。また、太陽光発電設備にあっても太陽電池にて発電された直流電力を交流電力に変換するインバータ装置などからなる電源装置を屋外に設置する場合がある。これら屋外に設置される電源装置は風雨に曝される劣悪な環境で用いられるので、防水対策が完全に行われていなければならず、また、夏季には特に温度上昇が厳しいことから冷却対策も十分に施されていなければならない。このような屋外設置用の電源装置は完全に密閉されていなければ、防水対策が完全とは言えないので、電源ボックスは密閉されている（例えば、特許文献１参照）。      
【０００３】
したがって、前掲の特許文献１で開示された電源装置は電源部を収納する電源ケースと電源カバーとで密閉される電源ボックスを備えている。そして、このような密閉型の電源ボックスにあっては、外部から冷却風を電源ボックスに取り入れ、熱せられた空気を排気する強制冷却機構を採用することができないので、電源ケースそのものの冷却効果を向上させなければならず、電源ケースの一部分を冷却フィン部としている。そして、その冷却フィン部に電源部を配置し、その後に電源カバーで電源ケースを密閉するようになっている。
【特許文献１】特開２００１−２８６０１３公報
【発明の開示】
【発明が解決しようとする課題】
【０００４】
しかし、前掲のような電源装置にあっては、電源ケースそのものの一部分に冷却フィン部を形成しなければならないので、電源ケースの製作が複雑になり、コストが高くなる。また、電源ケースの冷却フィン部に対して電源部を最適に配置しなければならず、設計の余裕度が厳しくなるという問題もある。さらに、電源部全体が電源ケース内に固定されているので、メンテナンスも容易であるとは言えない。このような問題点を解決するために、熱交換器などを用いて冷却効果を向上させることが考えられるが、価格が大幅に高くなること、及び電源装置が大型化するなどの問題が生じ、別途、熱交換器などを用いることは得策でない場合が多い。
【０００５】
したがって、本発明は前述の問題点を解決し、電源装置の小型化が可能で、コストを低減でき、また、設計の余裕度が高く、比較的容易にメンテナンスできる屋外設置に適した冷却効果の優れた電源装置を提供することを主目的としている。
【課題を解決するための手段】
【０００６】
前述のような問題を解決するため、第１の発明は、電子部品が搭載されているプリント基板を収納する電源ケースと、その電源ケースの開口部を密閉するように防水用パッキングを介して取り付けられ、電源カバーとして作用する冷却用フィンを備え、前記プリント基板は前記冷却用フィンと一緒に前記電源ケースに対して着脱できるように前記冷却用フィンに取り付けられていることを特徴とする電源装置を提供する。
【０００７】
第２の発明は、前記第１の発明において、前記電源ケースは前記開口部の周囲に複数の過圧縮防止用突起部を備え、これら過圧縮防止用突起部は前記防水用パッキングの厚みよりも小さな高さを有すると共に、取付け用小孔を備え、前記防水用パッキングは前記過圧縮防止用突起部に対応する箇所に取付け用孔を有することを特徴とする電源装置を提供する。
【０００８】
第３の発明は、前記第１の発明又は前記第２の発明において、前記電源ケースの内面に輻射熱を吸収し易い被膜が形成、又は前記電源ケースの外面と内面とに同色の被膜が形成されていることを特徴とする電源装置を提供する。
【０００９】
第４の発明は、前記第１の発明ないし前記第３の発明のいずれかにおいて、前記電源ケースの外面が赤外線反射型の塗膜で覆われ、さらにその上に所望の色彩を呈する赤外線透過型の塗膜が形成されていることを特徴とする電源装置を提供する。
【００１０】
第５の発明は、前記第１の発明ないし前記第４の発明のいずれかにおいて、前記冷却用フィンは互いに並行に延びるフィン片を有し、前記電源ケースは、前記フィン片の延びる方向の両端に、前記電源ケースを固定部材に取り付けるための取付け用金具を備えていることを特徴とする電源装置を提供する。
【００１１】
第６の発明は、前記第１の発明ないし前記第５の発明のいずれかにおいて、太陽光遮蔽部材がスペーサ部材を介して前記電源ケースに固定されていることを特徴とする電源装置を提供する。
【発明の効果】
【００１２】
前記第１の発明によれば、電子部品の搭載されているプリント基板が取り付けられた冷却用フィンで電源ケースの開口部を密閉しているので、専用の電源カバー（蓋）が不要であり、電源ケースに冷却フィン部を設ける必要もないので、電源装置のコストダウンが図れると共に、プリント基板を冷却用フィンに取り付けているので、プリント基板全体の冷却効果、設計の裕度に優れている。また、蓋として作用する冷却用フィンを取り外すときに一緒にプリント基板も電源ケースから取り出せるので、メンテナンスが容易となる。
【００１３】
前記第２の発明によれば、前記第１の発明が奏する効果に加えて、冷却用フィンを電源ケースに取り付けるときに、過圧縮防止用突起部によって防水用パッキングに加圧力をかけ過ぎる、つまり過圧縮することがないので、防水用パッキングの良好な防水作用を長期に渡って保持することができ、また、防水効果を高めることができる。
【００１４】
前記第３の発明によれば、前記第１の発明及び前記第２の発明が奏する効果に加えて、電源ケース内の冷却能力をより一層向上させることができるという効果を奏する。
【００１５】
前記第４の発明によれば、前記第１の発明ないし前記第３の発明が奏する効果に加えて、電源ケースを所望の意匠を施しながら電源ケース内の冷却能力をより一層向上させることができるという効果を奏する。
【００１６】
前記第５の発明によれば、前記第１の発明ないし前記第４の発明が奏する効果に加えて、この電源装置をコンクリートポール又は鋼鉄製ポール、あるいは固定の壁面などに容易に取り付けることができ、また、メンテナンス時に冷却用フィンに雨水や露などの水が溜まることがないので、メンテナンスを安全かつ容易に行うことができる。
【００１７】
前記第６の発明によれば、前記第１の発明ないし前記第５の発明が奏する効果に加えて、電源装置の冷却能力をより一層向上させることができるという効果を奏する。
【発明を実施するための最良の形態】
【００１８】
[実施形態１]
図１ないし図４によって本発明に係る電源装置の実施形態１について説明する。図１はこの電源装置１００の組み立て前の状態及び組み立てを説明するための図、図２は電源ケースの一部分を拡大して示す図、図３は防水用パンキングと過圧縮防止用突起との関係などを説明するための図、図４は取付け用金具を備えている電源装置の外観を示す図である。電源ケース１はステンレススチール製又はアルミニウム合金製などの軽量で錆び難く、かつ熱伝導性の良好な金属材料からなる直方体状のものであり、設置されたときに設置側で裏面となる面２には矩形状の開口部３が形成されている。電源ケース１は開口部３が形成されている面２を除いて他の面は全て閉じられている。しかし、実際の電源ケース１にあっては、面２以外の他の面、例えば設置したときに下面となる面にも図示しない入力端子と出力端子の導出口、スイッチや運転状態を示すランプなどを取り付けるための開口が形成されており、これら導出口又は開口は不図示のパッキング、及び入力端子と出力端子、前記スイッチ、ランプなどによって密閉される。これら導出口又は開口、スイッチやランプなどについては図示していない。
【００１９】
面２における開口部３の周りの各辺には、所定の間隔で過圧縮防止用突起部４Ａ〜４Ｌなどが形成されている。一部分の過圧縮防止用突起部は図示されていない。これら過圧縮防止用突起部４Ａ〜４Ｌ他は全て同じ構成であり、所定の高さを有すると共に、図２に示すように面２に対して垂直となる雌ねじ孔又はリベット孔のような取付け用小孔Ｆ１を有する。また、面２における開口部３の周りの辺における四隅には、所定の長さを有するボスのような取付け用部材５Ａ〜５Ｄが面２に対してほぼ垂直になるように植設されている。取付け用部材５Ａ〜５Ｄはすべて同一構造であり、その長さ方向に延びる雌ねじ孔又はリベット孔のような取付け用孔Ｆ２を備える。これら過圧縮防止用突起部４Ａ〜４Ｌ他、及び取付け用部材５Ａ〜５Ｄの作用については後述する。
【００２０】
これら部材を備える電源ケース１の面２に、合成ゴム又は弾性に優れた樹脂のような弾性材料からなる防水用パッキング６が配設される。この防水用パッキング６は開口部２と同等程度の大きさの開口６Ａを有し、面２からはみ出さない程度の外形をもつのが好ましい。防水用パッキング６は、過圧縮防止用突起部４Ａ〜４Ｌ他の互いに隣り合うもの同士の間隔とほぼ等しく、かつ過圧縮防止用突起部４Ａ〜４Ｌ他の位置に相当する位置に、過圧縮防止用突起部４Ａ〜４Ｌ他の外径にほぼ等しい直径をもつ貫通孔６Ｈを有する。これら貫通孔６Ｈに過圧縮防止用突起部４Ａ〜４Ｌ他が納められるように、防水用パッキング６は面２上に配置される。加圧力が加わらない状態では防水用パッキング６は、図３（Ａ）に示すように、過圧縮防止用突起部４Ａ〜４Ｌの高さｈよりも大きな厚みＨを有する。
【００２１】
防水用パッキング６を挟んで、電源ケース１の面２に冷却用フィン７が位置合わせして配置される。冷却用フィン７は、アルミニウム又はアルミニウム合金製のベース部７Ａとその外面から一定間隔で延びる複数のフィン片７Ｂとからなる一般的な冷却部を備えるものであるが、電源ケース１の面２に備えられた過圧縮防止用突起部４Ａ〜４Ｌ他に相当する位置に、図３（Ｂ）に示すように小孔７Ｈを有する。これら小孔７Ｈを通して雄ねじ又はリベットのような締結金具８を、相当する過圧縮防止用突起部４Ａ〜４Ｌ他の取付け用小孔Ｆ１に螺合して、又は打ち込んで、冷却用フィン７を過圧縮防止用突起部４Ａ〜４Ｌ他に固定する。このとき、冷却用フィン７のベース部７Ａの下面７Ｃが過圧縮防止用突起部４Ａ〜４Ｌ他の頂面に当接するまで、締結金具８を取付け用小孔Ｆ１に螺合するか又は打ち込む。
【００２２】
このようにすることによって、防水用パッキング６は過圧縮防止用突起部４Ａ〜４Ｌ他の高さｈに圧縮される。したがって、防水用パッキング６は均一の厚みに圧縮され、部分的に過圧縮されて薄い箇所と厚い箇所が生ずることがなく、均一に所定の厚みｈになるので、防水効果に優れると共に、過圧縮されることがない。したがって、防水用パッキング６の良好な防水性能を長期間保持することができる。過圧縮防止用突起部４Ａ〜４Ｌ他は、その他に防水用パッキング６の位置決め、位置ずれ防止の働きも行う。冷却用フィン７が電源カバー(蓋)の役割を行うので、別途に電源カバーを用意して取り付ける手間を省略することができる。なお、必要に応じて防水用パッキング６の両面に接着剤などを塗布しておくことによって、より水密性を向上させ、電源ケース内への湿気の浸入を防止することもできる。ここで、冷却用フィン７のフィン片７Ｂはこの電源装置が設置されるときに、図示の方向、つまり天地方向に長くなるように延びているので、雨露が冷却用フィン７に留まることが無く、メンテナンス時に雨露の雫などが電源ケース１内に入り込むことがないのでメンテナンスの信頼度が向上する。
【００２３】
冷却用フィン７の内面、つまりフィン片７Ｂの延びる方向とは反対面に、取付け金具９が冷却用フィン７の四隅近傍に固定されている。これら取付け金具９によってプリント基板１０が冷却用フィン７に取り付けられる。取付け金具９は、プリント基板１０の熱を冷却用フィン７に良好に伝達する金属材料からなる。プリント基板１０には、図示していないＩＧＢＴ又はＦＥＴなどのような発熱の大きな半導体素子、抵抗器など、この電源回路を構成するすべての電子部品が搭載されている。それらの一部分の電子部品、特に発熱量の大きな前記半導体素子は熱伝導性の比較的良好な電気絶縁シートを介して冷却用フィン７の内面に当接、又は図示しない別の冷却用部材を介して冷却用フィン７の内面に当接していても勿論よい。ここで、プリント基板１０は電源ケース１の開口３よりも小さな面積のものに選定されており、開口３を通して電源ケース１内へ収納したり、又は取り出しが容易にできるようになっている。
【００２４】
なお、前述したようにプリント基板１０に全ての電子部品が搭載され、電源回路構成しても勿論良いが、例えば、必要に応じて発熱の小さな制御回路を構成する電子部品を搭載してなる不図示の制御回路用プリント基板が電源ケース１側に固定されていても良い。この場合には、不図示のコネクタによって双方プリント基板の回路を容易に接続、又は切り離しすることができる。また、図示しないコネクタによって入力端子、出力端子にそれぞれ接続される不図示の入力導線、出力導線とプリント回路基板１０に構成されている電源回路とを接続又は切り離しをしても勿論よい。したがって、メンテナンス時には冷却用フィン７の取り外しと一緒にプリント回路基板１０を電源ケース１内から取り出すことができるので、メンテナンスが容易であり、また、新たなプリント回路基板に交換する場合にも短時間で容易に行うことができる。
【００２５】
更に、図４に示すように取付け用部材５Ａと５Ｂとには第１の取付け片１１が雄ねじ又はリベットのような締結金具１２によって固定されている。また、取付け用部材５Ｃと５Ｄとには第２の取付け片１３が雄ねじ又はリベットのような締結金具１４によって固定されている。そして、第１の取付け片１１には雄ねじ又はリベットのような締結金具１５によって第１の取付け用金具１６が固定され、第２の取付け片１３には雄ねじ又はリベットのような締結金具１７によって第２の取付け用金具１８が固定されている。取付け用金具１６は、締結金具１５によって第１の取付け片１１に固定される固定部１６Ａと固定部１６Ａから延びて不図示のコンクリートポール又は鋼鉄製ポールなどのような固定部材を締め付ける締め付けベルト部１６Ｂとからなる。第２の取付け用金具１８も第１の取付け用金具１６と同一の構造であり、固定部１８Ａと締め付けベルト部１８Ｂとからなる。つまり、取付け用部材５Ａ〜５Ｄと第１、第２の取付け片１１、１３と第１、第２の取付け用金具１６、１８と締結金具１５、１７とはこの防水型の電源装置１００を屋外の固定部材に取り付けるための取付け部材を構成することになる。ただし、この取付け部材はあくまで一例であり、この防水型の電源装置１００の設置構造によってはこのような取付け部材は必ずしも必要とされず、例えば壁などに設置する場合には設置構造に適した別の取付け部材が必要とされる。
【００２６】
この実施形態１の電源装置１００にあっては、電源ケース１がステンレススチール又はアルミニウムなどの金属材料からなると共に、蓋となる電源カバーが冷却用フィン７で構成されているので、優れた冷却性能を有するが、直射日光を受けることが多いので、特に夏季など気温の高い時期にはより一層高い冷却性能が望まれる。電源ケース１がステンレススチール又はアルミニウム材料からなる場合には、その表面が平坦、好ましくは鏡面に近い状態であれば太陽光に含まれる赤外線を反射する割合、つまり反射率が高いので、太陽光による熱の影響を比較的小さくできる。したがって、この場合には必ずしも電源ケース１の外面に太陽光を反射する反射膜を形成する必要は無いが、この電源装置１００は屋外に設置される場合が多いので、意匠性を要求されることもあり、電源ケース１の外面を所望の色彩を呈する被膜で覆いたい場合がある。この場合には、所望の色彩を呈する顔料を含有する塗料を電源ケース１の外面に塗布することが多いが、一般的な塗料では太陽光、特に赤外線を吸収するために電源ケース１の放熱効果が低下する。したがって、この電源装置１００では太陽光に含まれる赤外線の中で発熱に寄与する近赤外線、例えば７００〜２０００ｎｍの範囲の波長を有する赤外線の多くを吸収せずに透過する顔料を樹脂成分に含有してなる塗料を電源ケース１の外面に塗布する。
【００２７】
ステンレススチール又はアルミニウム材料の電源ケース１の外面１Ａは予め鏡面に近い平坦な面に仕上げられている。この上に、図５に示すように、近赤外線の吸収率が小さく、近赤外線の多くを透過し、所望の色を呈する顔料、例えば酸化鉄顔料又は酸化チタン顔料などの無機顔料や、ある有機顔料などを樹脂成分に混練してなる赤外線透過型の塗料を塗布し、所望の膜厚の塗膜２０を形成する。この赤外線透過型の塗料ではカーボンブラックを最小限又はゼロに抑えることが望ましい。この赤外線透過型の塗膜２０は、図５の矢印Ｆで示すように、太陽光中の近赤外線の多くを透過させ、電源ケース１の外面１Ａで反射させ、赤外線透過型の塗膜２０を通して空中に放出することによって、太陽光によって受ける熱的影響を最小限に抑制することができる。この場合、図示しないが、放熱効果を高めるという面から電源ケース１の内面１Ｂはざらざらで凹凸のある面であることが好ましく、あるいは電源ケース内の輻射熱を反射せずに吸収するように黒色系統の塗料が塗布されているのが好ましい。
【００２８】
また、コストの関係などから電源ケース１が鉄板などからなる場合には、風雨の影響及び太陽光の熱的影響を最小限に止めるために、図６の矢印Ｆで示すように、太陽光に含まれる赤外線の中で発熱に寄与する近赤外線の多くを反射する赤外線反射型の塗膜２１で電源ケース１の外面を覆うことが好ましい。その赤外線反射型の塗膜２１を形成する塗料は、近赤外線を効率よく反射する酸化鉄顔料又は酸化チタン顔料などを樹脂成分に混練してなる耐候性に優れた塗料が好ましく、乾燥した塗膜の状態では白色又は白色系であることが望ましい。近赤外線の反射率を低下させないために顔料としてカーボンブラックの含有量をゼロにするのが好ましい。また前述したように、意匠性が要求される場合には、図６に示すように、前述した赤外線反射型の塗膜２１上に前述の所望の着色を呈する赤外線透過型の塗膜２０を形成することが好ましい。この赤外線透過型の塗膜２０については前述したものと同じであるので、説明を省略する。したがって、電源ケース１が近赤外線を反射し難い鉄材料からなる場合であっても、太陽光中の近赤外線は、図６の矢印Ｆで示すように、赤外線透過型の塗膜２０を透過して、赤外線反射型の塗膜２１の外面２１Ａ上に至り、その外面２１Ａで反射し、赤外線透過型の塗膜２０を再び通って空中に放出される。このような塗膜層を有する電源装置にあっては、所望の意匠を満足させながら、太陽光によって受ける熱的影響を小さくすることができる。また、電源ケース１が鉄材料からなる電源装置であっても、電源ケース１の内面に輻射熱の吸収し易い黒色又は灰色系統、赤色系統などの塗膜、あるいは外面に形成される赤外線透過型の塗膜２０の色彩と同様な色彩を有する塗膜のような内側被膜２２を形成することによって、電源装置の放熱効果を改善することができる。
【００２９】
[実施形態２]
実施形態２では、太陽光の熱的な影響をより小さくできる太陽光遮蔽部材で電源ケースの一部分を覆ってなる電源装置２００について、図７及び図８によって説明する。図７及び図８において、図１ないし図６で用いた記号と同じ記号は同じ名称の部材を示すものとする。太陽光遮蔽部材２３は、図１で示した電源ケース１の面２における開口部３を密閉する冷却用フィン７及びこの電源装置を設置したときに下面となる面２Ａを覆わないようになっており、電源装置２００を設置したときに電源ケース１の上板に対向する上板２３Ａ、電源ケース１の側板それぞれに対向する側板２３Ｂ、２３Ｃ、及び電源ケース１の正面板に対向する正面板２３Ｄを有する。太陽光遮蔽部材２３は、電源ケース１の対応する面からそれぞれ延びる一つ以上のスペーサ部材２４によって、電源ケース１の外面との間にスペーサ部材２４の長さに等しい間隙Ｓを有する。
【００３０】
それらスペーサ部材２４は同一構造のものであって、一端側は電源ケース１に固定されており、他端には雌ネジ孔又はリベット孔のような不図示の締結用小孔が形成されており、それら締結用小孔にネジ又はリベットのような締結用部材２５を螺合するか又は打ち込むことによって、太陽光遮蔽部材２３が電源ケース１に固定される。したがって、スペーサ部材２４は締結用部材２５と共に太陽光遮蔽部材２３を電源ケース１に固定する働きも行う。太陽光遮蔽部材２３が、ステンレススチール又はアルミニウム材料からなって予め鏡面に近い平坦な面に仕上げられ、色彩の指定がない場合には、太陽光の反射率が高いので、わざわざ反射率の高い塗膜で被覆する必要が無いが、色彩の指定がある場合には、指定された色彩の塗膜で太陽光遮蔽部材２３の外面を覆う必要がある。この場合には、図５で示したように、太陽光に含まれる赤外線の中で発熱に寄与する近赤外線の吸収率が小さく、近赤外線の多くを透過し、所望の色を呈する顔料、例えば酸化鉄顔料又は酸化チタン顔料などの無機顔料や、ある有機顔料などを樹脂成分に混練してなる赤外線透過型の塗料を塗布し、赤外線透過型の塗膜２０を太陽光遮蔽部材２３の外面に形成すればよい。
【００３１】
また、太陽光遮蔽部材２３の大幅なコストダウンを図るために、ブリキ板のような比較的薄い鉄板で製作された太陽光遮蔽部材２３については、新たに図示しないが、赤外線の反射率が低いので、図６で示し、かつ前述したように、太陽光に含まれる赤外線の中で発熱に寄与する近赤外線の多くを反射する赤外線反射型の塗膜２１で先ず太陽光遮蔽部材２３の外面を覆い、その上に所望の色彩を呈する赤外線透過型の塗膜２０形成すればよい。このようにすることによって、太陽光の熱による影響を大分小さくできる。しかし一般的に、電源装置の寸法は極力小さいことが要求され、間隙Ｓは必要最小限に抑えねばならないので、間隙Ｓに熱が籠り、放熱効果が十分に向上しないことがある。この問題点を解決するために、図示しないが、太陽光遮蔽部材２３、特にその側板２３Ｂ、２３Ｃ、及び正面板２３Ｄに適当なスリット、例えば細長い孔を複数設け、外側から間隙Ｓに空気が入りやすくすると共に、間隙Ｓにおける熱せられた空気を外部に排出し易くすることによって、更に一層冷却性能を高めることができる。太陽光遮蔽部材２３に設けられる前記細長い孔はそれら孔を通して入り込む太陽光による熱と間隙Ｓ内の熱の放出との関係で決められる。なお、太陽光遮蔽部材２３は必ずしも電源ケース１に取り付けられていなくてもよく、必要に応じて不図示の固定具で図示しないコンクリートポール又は鋼鉄製ポール、あるいは固定の壁などに直接取り付けられてもよい。また、この実施形態２においても、図示しないが、輻射の熱線を吸収し易い黒色系統の被膜が電源ケース１の内壁面に形成されているのが好ましい。
【００３２】
図示しないが、冷却用フィン７の内面、つまり電源ケース１の内側となる冷却用フィン７の面に、カーボンブラックなど黒色を呈する顔料を含む黒色系統の塗膜を形成することによって、電源ケース１と冷却用フィン７とによって囲まれた密閉空間内における輻射熱の吸収効率を更に向上させることができる。また、実施形態２における電源装置においては、太陽光遮蔽部材２３によって太陽光が遮られ、ほとんど太陽光が電源ケース１に照射されることがないので、電源ケース１自身の放熱効果を高めるために、電源ケース１の内外面は鏡面でなく、ざらざらな細かい凹凸のある面にして電源ケース１自身の放熱面積を大きくしてもよい。また、電源装置の設置の向きによって太陽光が冷却用フィン７に照射されないように、太陽光遮蔽部材２３が冷却用フィン７を太陽光から遮蔽するような形状になっていても勿論よい。なお、電源装置１００は風雨を完全に遮断すると共に、小型化が可能であり、防水用パッキングが弾力性を有するので、自動車用の電源装置にも適用することができる。
【図面の簡単な説明】
【００３３】
【図１】本発明の実施形態１に係る電源装置１００を説明するための図である。
【図２】本発明の実施形態１に係る電源装置１００の一部分を拡大して示す図である。
【図３】本発明の実施形態１に係る電源装置の防水構造部分を説明するための部分断面図である。
【図４】本発明の実施形態１に係る電源装置１００を示す図である。
【図５】本発明の実施形態１に係る電源装置１００における電源ケースの一部分における断面の一例を示す図である。
【図６】本発明の実施形態１に係る電源装置１００における電源ケースの一部分における断面の他の一例を示す図である。
【図７】本発明の実施形態２に係る電源装置２００を冷却用フィン側から見た面図である。
【図８】本発明の実施形態２に係る電源装置２００を側面から見た部分断面図である。
【符号の説明】
【００３４】
１・・・電源ケース
２・・・電源ケース１の裏面側の面
３・・・面２に設けられた開口部
４Ａ〜４Ｌ・・・過圧縮防止用突起部
５Ａ〜５Ｄ・・・取付け用部材
６・・・防水用パッキング
６Ａ・・・防水用パッキングの開口部
７・・・冷却用フィン
７Ａ・・・冷却用フィン７のベース部
７Ｂ・・・冷却用フィン７のフィン片
９・・・取付け金具
１０・・・プリント基板
１１、１３・・・第１、第２の取付け片
１２、１４・・・締結金具
１５、１７・・・締結金具
１６、１８・・・取付け用金具
２０・・・赤外線透過型の塗膜
２１・・・赤外線反射型の塗膜
２２・・・内側被膜
２３・・・太陽光遮蔽部材
２４・・・スペーサ部材
２５・・・締結用部材
Ｆ１・・・過圧縮防止用突起部４Ａ〜４Ｌに設けられた取付け用孔
Ｆ２・・・取付け部材５Ａ〜５Ｄに設けられた取付け用孔
【図１】
2007097296.tif 000003
【図２】
2007097296.tif 000004
【図３】
2007097296.tif 000005
【図４】
2007097296.tif 000006
【図５】
2007097296.tif 000007
【図６】
2007097296.tif 000008
【図７】
2007097296.tif 000009
【図８】
2007097296.tif 000010